(57)【要約】【課題】装置の厚みを格段と小さくした上で、２以上の素材情報の記録もしくは再生を同時に独立して行なえるようにする。【解決手段】メモリカセット２００をメモリ情報記録再生装置本体１００Ａの挿入口１１０に収容して、メモリアクセス用の光透過窓とメモリアクセス部とを近接させ、メモリカセット２００の半導体メモリ及び電気回路に電源が与えられた時に、メモリアクセス部と電気回路とを光信号によりアクセスさせることにより、半導体メモリに対し非接触で情報書き込み、読み出しを行なう。また、メモリ情報記録再生装置１００Ａ内には別のメモリカセット３００を内蔵しておき、専用のメモリアクセス部により、半導体メモリに対し非接触で情報書き込み、読み出しを行なう。【選択図】      図１
2009283012.tif 000002
【特許請求の範囲】
【請求項１】
メモリカセットに対して情報を読み出しもしくは書き込みを行なうメモリ情報記録再生装置であって、
前記メモリカセットと電気的に接続されるインタフェース手段と、
前記メモリカセットが前記インタフェース手段に接続された場合に、前記メモリカセットに対し映像、音声、データのうち少なくとも１つを含む素材情報の読み出し、書き込みの少なくとも一方を行なう第１のメモリアクセス手段と、
内蔵メモリと、
前記内蔵メモリに対し映像、音声、データのうち少なくとも１つを含む素材情報の読み出し、書き込みの少なくとも一方を行なう第２のメモリアクセス手段とを具備し、
前記第１のメモリアクセス手段が、前記メモリカセットに対し素材情報の読み出し、書き込みの少なくとも一方を行なうと同時にかつ独立して、前記第２のメモリアクセス手段が、前記内蔵メモリに対し素材情報の読み出し、書き込みの少なくとも一方を行なうことを特徴とするメモリ情報記録再生装置。
【請求項２】
メモリカセットに対して情報を読み出しもしくは書き込みを行なうメモリ情報記録再生装置であって、
第１のメモリカセットと電気的に接続される第１のインタフェース手段と、
前記第１のメモリカセットが前記第１のインタフェース手段に接続された場合に、前記第１のメモリカセットに対し映像、音声、データのうち少なくとも１つを含む素材情報の読み出し、書き込みの少なくとも一方を行なう第１のメモリアクセス手段と、
第２のメモリカセットと電気的に接続される第２のインタフェース手段と、
前記第２のメモリカセットが前記第２のインタフェース手段に接続された場合に、前記第２のメモリカセットに対し映像、音声、データのうち少なくとも１つを含む素材情報の読み出し、書き込みの少なくとも一方を行なう第２のメモリアクセス手段とを具備し、
前記第１のメモリアクセス手段が、前記第１のメモリカセットに対し素材情報の読み出し、書き込みの少なくとも一方を行なうと同時にかつ独立して、前記第２のメモリアクセス手段が、前記第２のメモリカセットに対し素材情報の読み出し、書き込みの少なくとも一方を行なうことを特徴とするメモリ情報記録再生装置。
【請求項３】
さらに、前記第１のメモリアクセス手段の第１メモリ記録素材情報と前記第２のメモリアクセス手段の第２メモリ記録素材情報とを組み合わせた情報もしくは別々の情報を外部操作に応じて選択的に外部に提示する情報提示手段を備えることを特徴とする請求項１または２記載のメモリ情報記録再生装置。
【請求項４】
さらに、前記第１及び第２のメモリアクセス手段と外部装置との間で第１メモリ記録素材情報と第２メモリ記録素材情報とを組み合わせた情報もしくは別々の情報の授受を外部操作に応じて選択的に行なう情報通信手段を備えることを特徴とする請求項１または２記載のメモリ情報記録再生装置。
【請求項５】
前記情報通信手段は、接続可能とする複数の外部装置の信号形式に対応し、接続される外部装置に応じて選択設定する機能を有することを特徴とする請求項４記載のメモリ情報記録再生装置。
【請求項６】
前記請求項１または２記載のメモリ情報記録再生装置を複数個並設配置したメモリ情報記録再生装置群と、
このメモリ情報記録再生装置群の各メモリ情報記録再生装置の第１及び第２のメモリアクセス手段に対応する伝送路を有し、これら伝送路を介してメモリ情報を双方向に伝送させるメモリ情報伝送路と、
このメモリ情報伝送路における複数のメモリ情報記録再生装置それぞれの伝送路を接続し、外部からの情報を取り込み、前記メモリ情報伝送路の対応する伝送路に供給する受信手段、及び前記複数のメモリ情報記録再生装置それぞれの伝送路から出力される情報を外部に送出する送信手段を備える情報送受信装置とを具備してなることを特徴とするメモリ情報管理システム。
【発明の詳細な説明】
【技術分野】
【０００１】
この発明は、メモリカセットに内蔵されたメモリに対して素材情報の読み出し、書き込みの少なくとも一方を行なうメモリ情報記録再生装置及びメモリ情報管理システムに関する。
【背景技術】
【０００２】
従来、映像や音声等を含む素材情報を記録再生する記録再生装置にあっては、例えばＶＴＲ（Video Tape Recorder）やＤＡＴ（Digital Audio Tape Recorder）等のように、磁気テープを記録媒体として素材情報の記録や再生を行なう装置がある。また、光磁気ディスクを記録媒体として素材情報の記録や再生を行なう装置もある。
【０００３】
ところで、磁気テープを記録媒体としたテープ記録再生装置では、１台の装置で２チャンネル以上の素材情報の記録もしくは再生を同時に独立して動作させることができない。また、２チャンネル以上の番組編集に用いる場合に、２台以上の装置を積み重ね配置するようにしてもよいが、１台のテープ記録再生装置において、カセットの引き込みもしく排出動作、カセットとリール軸との係合、離脱のための昇降動作が装置内部で行われるため、装置自体の厚みが大きく、広い配置スペースを確保する必要がある。
【０００４】
一方、光磁気ディスクを記録媒体としたディスク記録再生装置では、記録用ヘッド、再生用ヘッド及び消去用ヘッド等を１台の装置に複数実装することで、記録・再生の同時動作を実現しているが、さらに、２以上のチャンネル動作を実現しようとすると機構的に複雑となり、実現するのがかなり困難となる。
【０００５】
そこで、従来では、構成上複雑化することなく、また広い配置スペースを必要とせずに、２以上のチャンネルの素材情報に対し記録や再生を同時に独立して動作させるような装置が強く要望されている。
【０００６】
なお、最近では、テープやディスクに代わるものとして、音声信号や映像信号などを記録し、かつ記録内容に関するタイトル情報等を記録した半導体メモリと、この半導体メモリに対し情報読み出し、もしくは書込みを行なうための電気回路とを内蔵したメモリカセットが考えられているが、２以上のチャンネルの素材情報に対し記録・再生を同時に独立して動作させるようなものとしてはまだ実現されていない。
【発明の概要】
【発明が解決しようとする課題】
【０００７】
以上のように、テープ記録再生装置では、１台の装置で記録・再生を同時に独立して動作させることができず、また、２チャンネル以上の番組編集に用いる場合に、２台以上の装置を積み重ね配置するようにしても、１台当たりの装置の厚みが大きいため広い配置スペースが必要となる。さらに、ディスク記録再生装置では、２以上のチャンネル動作に対し、複数ヘッドを実装するために機構的に複雑となるという問題を有している。
【０００８】
この発明の第１の目的は、簡単な構成で、かつ装置自体の小型化を図った上で、２以上の素材情報に対して記録または再生を同時にかつ独立して行ない得るメモリ情報記録再生装置を提供することにある。
【０００９】
この発明の第２の目的は、多チャンネルの素材情報を同時に取り扱うことが可能で、かつ装置の配置スペースを格段と少なくするように工夫されたメモリ情報管理システムを提供することにある。
【課題を解決するための手段】
【００１０】
この発明は、メモリカセットに対して情報を読み出しもしくは書き込みを行なうメモリ情報記録再生装置であって、メモリカセットと電気的に接続されるインタフェース手段と、メモリカセットがインタフェース手段に接続された場合に、メモリカセットに対し映像、音声、データのうち少なくとも１つを含む素材情報の読み出し、書き込みの少なくとも一方を行なう第１のメモリアクセス手段と、内蔵メモリと、内蔵メモリに対し映像、音声、データのうち少なくとも１つを含む素材情報の読み出し、書き込みの少なくとも一方を行なう第２のメモリアクセス手段とを具備し、第１のメモリアクセス手段が、メモリカセットに対し素材情報の読み出し、書き込みの少なくとも一方を行なうと同時にかつ独立して、第２のメモリアクセス手段が、内蔵メモリに対し素材情報の読み出し、書き込みの少なくとも一方を行なうようにしたものである。
【００１１】
この構成によれば、メモリカセットをインタフェース手段に接続し、メモリカセットのメモリ及び情報処理回路に電源が与えられた時に、第１のメモリアクセス部が情報処理回路にアクセスすることで、メモリに対し素材情報の書き込み、読み出しが可能となる。また、装置内には別のメモリが内蔵されており、第２のメモリアクセス部により、内蔵メモリに対し情報書き込み、読み出しが可能であるので、２以上の素材情報をチャンネル別に各メモリに記録または再生を行なうことが可能となる。
【００１２】
このため、簡単な構成で、かつ装置自体の小型化を図った上で、２以上の素材情報に対してそれぞれ別々のメモリに記録または再生を同時にかつ独立して行なうことが可能となる。
【００１３】
また、この発明は、上記対象において、第１のメモリカセットと電気的に接続される第１のインタフェース手段と、第１のメモリカセットが第１のインタフェース手段に接続された場合に、第１のメモリカセットに対し映像、音声、データのうち少なくとも１つを含む素材情報の読み出し、書き込みの少なくとも一方を行なう第１のメモリアクセス手段と、第２のメモリカセットと電気的に接続される第２のインタフェース手段と、第２のメモリカセットが第２のインタフェース手段に接続された場合に、第２のメモリカセットに対し映像、音声、データのうち少なくとも１つを含む素材情報の読み出し、書き込みの少なくとも一方を行なう第２のメモリアクセス手段とを具備し、第１のメモリアクセス手段が、第１のメモリカセットに対し素材情報の読み出し、書き込みの少なくとも一方を行なうと同時にかつ独立して、第２のメモリアクセス手段が、第２のメモリカセットに対し素材情報の読み出し、書き込みの少なくとも一方を行なうようにしたものである。
【００１４】
この構成によれば、２つのメモリをそれぞれ第１及び第２のインタフェース手段に接続し、各メモリ及び情報処理回路に電源が与えられた時に、第１及び第２のメモリアクセス部が情報処理回路にアクセスすることで、メモリに対し素材情報の書き込み、読み出しが可能となる。
【００１５】
このため、上記と同様の効果が得られ、２以上の素材情報に対してそれぞれ別々のメモリに記録または再生を同時にかつ独立して行なうことが可能となるとともに、第１及び第２のインタフェース手段にそれぞれ接続されたメモリの交換にも有用となる。また、第１のインタフェース手段に接続されたメモリの記録もしくは再生中に、別のメモリの記録情報内容を確認もしくは任意の素材情報を記録したい場合に、第２のインタフェース手段に接続するだけで、簡単に確認できるようになり、また情報記録もできるようになる。
【００１６】
また、上記構成において、さらに、第１のメモリアクセス部の第１メモリ記録素材情報と第２のメモリアクセス部の第２メモリ記録素材情報とを組み合わせた情報もしくは別々の情報を外部操作に応じて選択的に外部に提示する情報提示部を備えることを特徴とする。このようにすることで、ユーザは、２つのメモリに記録された情報内容を同時に視聴できるとともに、ユーザの選択により、第１メモリ記録素材情報と第２メモリ記録素材情報とを選択的に表示できるので、ユーザは見やすい画面でそれぞれのメモリの情報内容を確認できるようになる。
【００１７】
また、上記構成において、さらに、第１及び第２のメモリアクセス部と外部装置との間で第１メモリ記録素材情報と第２メモリ記録素材情報とを組み合わせた情報もしくは別々の情報の授受を外部操作に応じて選択的に行なう情報通信手段を備えることを特徴とする。このようにすることで、パーソナルコンピュータ等を用いて２つのメモリに対し、素材情報の読出しもしくは書込みを行なうことができるようになり、また、情報内容の管理も行なうことができる。また、第１メモリ記録素材情報及び第２メモリ記録素材情報をテレビジョン受像機に転送して画面表示させることができるようになる。この際、ユーザの選択により、第１メモリ記録素材情報と第２メモリ記録素材情報とを組み合わせた情報もしくは別々の情報を選択的に表示できる。
【００１８】
この発明に係るメモリ情報管理システムは、メモリ情報記録再生装置を複数個並設配置したメモリ情報記録再生装置群と、このメモリ情報記録再生装置群の各メモリ情報記録再生装置の第１及び第２のメモリアクセス部に対応する伝送路を有し、これら伝送路を介してメモリ記録素材情報を双方向に伝送させるメモリ情報伝送路と、このメモリ情報伝送路における複数のメモリ情報記録再生装置それぞれの伝送路を接続し、外部からの情報を取り込み、メモリ情報伝送路の対応する伝送路に供給する受信部、及び複数のメモリ情報記録再生装置それぞれの伝送路から出力されるメモリ記録素材情報を外部に送出する送信部を備える情報送受信装置とを備えるようにしたものである。
【００１９】
この構成によれば、複数個のメモリ情報記録再生装置を積み重ねて配置するようにして配置スペースを格段と少なくして、１台のパーソナルコンピュータ等の操作で複数個のメモリ情報記録再生装置を用いた多チャンネルの素材情報の編集を行なうことができ、また、多数のメモリの情報管理も行なうことができる。
【発明の効果】
【００２０】
以上詳述したようにこの発明によれば、簡単な構成で、かつ装置自体の小型化を図った上で、２以上の素材情報に対して記録または再生を同時にかつ独立して行ない得るメモリ情報記録再生装置を提供することができる。
【００２１】
また、メモリ情報記録再生装置を複数個積み重ね配置することで、多チャンネルの素材情報を同時に取り扱うことが可能で、かつ１個当たりの装置の厚みを最小に設計して配置スペースを格段と少なくしたメモリ情報管理システムを提供することができる。
【図面の簡単な説明】
【００２２】
【図１】この発明に係るメモリ情報記録再生装置の一実施形態を示す斜視図。
【図２】同実施形態における要部の平面図。
【図３】同実施形態で取り扱うメモリカセットの斜視図。
【図４】同実施形態におけるメモリカセット及びメモリ情報記録再生装置本体内部の処理構造を説明するために示す回路ブロック図。
【図５】この発明に係るメモリ情報記録再生装置の第２の実施形態を示す斜視図。
【図６】この発明の第３の実施形態としてメモリ情報管理システムの構成を示すブロック構成図。
【発明を実施するための形態】
【００２３】
以下、この発明の実施形態について図面を参照して詳細に説明する。  
（第１の実施形態）  
図１は、この発明に係るメモリ情報記録再生装置の一実施形態における斜視図である。また、図２は、一実施形態における要部の平面図であり、メモリカセットが挿入される様子を示している。さらに、図３は、この一実施形態で取り扱うメモリカセットの斜視図である。  
なお、図２（ａ）はメモリカセットの挿入状態を正面から見て示した図であり、図２（ｂ）はメモリカセットの挿入状態を上から見て示した断面図である。
【００２４】
図１において、図中符号１００Ａはメモリ情報記録再生装置本体で、その正面にメモリカセット２００の一部を挿入するための挿入口１１０と、本体の電源投入のためのボタン１２０と、メモリカセット２００に記録された情報表示のための表示部１３０と、メモリカセット２００に対し情報書込みのためのキーボード１４０とを備えている。このうち、挿入口１１０には、その内部の左右壁面にガイドレール１１１，１１２と、奥にメモリアクセス部１１３（図２で図示）とが設けられている。
【００２５】
また、メモリカセット２００は、その内部に図示しない半導体メモリと、この半導体メモリに対し情報読み出しもしくは書き込みを行なうための電気回路とが内蔵されている。そして、形状が直方体で、外側が直方形状の６つの壁から構成されており、ほこりやごみなどが外部から入らないように、全体が密閉された構造になっている。また、メモリカセット２００は、その左右側面にガイド溝２１１，２１２をカセット挿入方向に沿って形成しており、背面にメモリアクセス用の光透過窓２２０（図３で図示）を設けている。
【００２６】
また、メモリ情報記録再生装置本体１００Ａ内には、メモリカセット２００と同じメモリカセット３００が内蔵されている。
【００２７】
このような構成により、メモリカセット２００は、その光透過窓２２０形成面からメモリ情報記録再生装置本体１００Ａの挿入口１１０に図１及び図３中矢印Ｚ方向に挿入されると、まずその左右のガイド溝２１１，２１２がガイドレール１１１，１１２に係合する。そして、図２（ｂ）に示すように、メモリカセット２００が挿入口１１０内に深く挿入されていくにつれて、ガイドレール１１１，１１２により、メモリカセット２００の光透過窓２２０がメモリアクセス部１１３に近接する位置に案内される。
【００２８】
なお、メモリカセット３００は、その光透過窓がメモリアクセス部に近接している。
【００２９】
次に、メモリカセット２００，３００の半導体メモリに対する情報書き込みを行なう構成及びその構成による動作について図４を参照して説明する。ここでは、メモリカセット２００を代表して説明する。  
メモリアクセス部１１３は、メモリカセット２００が挿入口１１０に挿入され、半導体メモリ及び電気回路に電源が供給された状態で、光透過窓２２０に対し光信号を用いて電気回路にアクセスし、情報の書込みを行なう。すなわち、キーボード１４０により入力されたタイトル、記録年月日等の文字情報は、メモリアクセス部１１３を構成する情報処理部１５０でメモリカセット２００に記録すべき情報であるか否かを判断され、記録すべき情報である場合に、同じくメモリアクセス部１１３を構成するインタフェース部１６０で光信号に変換され、電気回路を構成するインタフェース部２０１で文字情報に変換され、情報処理部２０２で半導体メモリ２０３に書き込まれる。また、半導体メモリ２０３に記録された情報は、キーボード１４０で読み出し指令が出されると、情報処理部２０２により読み出され、インタフェース１６０，２０１を介して情報処理部１５０にて表示部１３０に表示される。この表示部１３０に表示される情報としては、映像、音声、データ等を含む素材情報であってもよいし、また、タイトル情報であってもよい。
【００３０】
なお、情報処理部１５０は、半導体メモリ２０３に記録された情報を、インタフェース部１７０を介して外部装置に転送を行なっており、また、外部装置から転送された情報をメモリ２０３に書き込むことも行なっている。このようにすれば、パーソナルコンピュータ等を用いてメモリカセット２００の半導体メモリ２０３に対し、情報の読出しもしくは書込みを行なうことができるようになり、また、情報内容の管理も行なうことができる。なお、外部装置との間で転送が行なわれる情報は、例えば映像，音声，データ等を含む素材情報が挙げられる。
【００３１】
また、情報処理部１５０は、メモリカセット３００の半導体メモリに記録された情報を、インタフェース部１７０を介して外部装置に転送を行なっており、また、外部装置から転送された情報をメモリカセット３００の半導体メモリに書き込むことも行なっている。なお、情報処理部１５０は、外部操作に応じて、外部装置との間で、メモリカセット２００，３００それぞれのメモリ記録素材情報を組み合わせた情報もしくは別々の情報の転送を行なうようにしている。これにより、テレビジョン受像機に転送して画面表示させることができるようになる。この際、ユーザの選択により、メモリカセット２００，３００それぞれのメモリ記録素材情報を組み合わせた情報もしくは別々の情報をテレビジョン画面に選択的に表示できる。
【００３２】
以上のようにこの第１の実施形態によれば、メモリカセット２００を単にメモリ情報記録再生装置本体１００Ａの挿入口１１０に収容することで、メモリアクセス用の光透過窓２２０とメモリアクセス部１１３とが近接し、メモリカセット２００の半導体メモリ２０３、及びインタフェース部２０１及び情報処理部２０２を含む電気回路に電源が与えられた時に、メモリアクセス部１１３がインタフェース部２０１にアクセスすることで、半導体メモリ２０３に対し非接触で素材情報の書き込み、読み出しが可能となる。また、メモリ情報記録再生装置１００Ａ内には別のメモリカセット３００が内蔵されており、専用のメモリアクセス部により、半導体メモリに対し非接触で素材情報の書き込み、読み出しが可能であるので、２チャンネルの素材情報をチャンネル別に各メモリカセット２００，３００に記録または再生を行なうことが可能となる。すなわち、メモリ情報記録再生装置１００Ａにおける内蔵用のメモリカセット３００の配置場所は、ＶＴＲ等のテープ記録再生装置におけるカセットローディング動作のためのデッドスペースに当たり、記録再生のための複数のヘッドを実装する必要もなくこれらヘッドと記録媒体との接触状態に応じた設計も必要としないので、２つのメモリカセット２００，３００を取り扱う上でメモリ情報記録再生装置１００Ａの厚みを決める場合に、メモリカセット２００，３００の収容状態に基づいて、最小の厚みに設計することができ、かつ簡単な構成とすることが可能となる。
【００３３】
このため、簡単な構成で、かつメモリ情報記録再生装置１００Ａ自体の小型化を図った上で、２以上の素材情報信号に対してそれぞれ別々のメモリカセット２００，３００に記録または再生を同時にかつ独立して行なうことが可能となる。また、メモリ情報記録再生装置１００Ａの挿入口１１０に収容するメモリカセット２００の故障時もしくは紛失時に、内蔵用のメモリカセット３００に素材情報信号の記録や再生を行なうようにすれば、信頼性が高いものとなり得る。
【００３４】
また、メモリカセット２００，３００それぞれの記録内容を表示部１３０に同時もしくは別々に表示することにより、ユーザはメモリカセット２００，３００それぞれの記録内容を簡単に認識することができるようになる。
【００３５】
さらに、メモリアクセス部１１３と外部装置との間でメモリカセット２００，３００それぞれのメモリ記録素材情報を転送する機能、つまりインタフェース部１７０を設けておくことで、パーソナルコンピュータ等を用いてメモリカセット２００，３００それぞれの半導体メモリに対し、メモリ記録素材情報の書き込みを行なうことができるようになり、また、メモリカセット２００，３００の情報内容の管理も行なうことができる。また、メモリカセット２００，３００それぞれのメモリ記録素材情報をテレビジョン受像機に転送して画面表示させることができるようになる。この際、ユーザの選択により、メモリカセット２００，３００それぞれのメモリ記録素材情報を組み合わせた情報もしくは別々の情報を選択的に表示できる。
【００３６】
なお、上記インタフェース部１７０としては、予め接続可能とする複数の通信機器の信号形式に対応させておき、接続される通信機器に応じて選択設定できるようにしておくと、汎用性があり、便利である。
【００３７】
（第２の実施形態）  
図５は、この発明に係るメモリ情報記録再生装置の第２の実施形態における斜視図である。なお、図５において、上記図１と同一部分には同一符号を付して詳細な説明を省略する。
【００３８】
メモリ情報記録再生装置１００Ｂには、その前面に挿入口１１０とは別の挿入口１９０が設けられている。挿入口１９０には、上記挿入口１１０と同様に、その内部の左右壁面にガイドレール（図示せず）と、奥にメモリアクセス部（図示せず）とが設けられている。
【００３９】
また、この挿入口１９０には、上記メモリカセット２００と同じメモリカセット４００が挿入されることになる。
【００４０】
すなわち、この第２の実施形態によれば、２つのメモリカセット２００，４００をそれぞれメモリ情報記録再生装置本体１００Ｂの挿入口１１０，１９０に収容することで、各メモリアクセス用の光透過窓と対応するメモリアクセス部とが近接し、各メモリカセット２００，４００の半導体メモリ及び電気回路に電源が与えられた時に、各メモリアクセス部が電気回路にアクセスすることで、半導体メモリに対し非接触で情報書き込み、読み出しが可能となる。
【００４１】
このため、上記第１の実施形態と同様の効果が得られ、２以上の素材情報に対してそれぞれ別々のメモリカセット２００，４００に記録または再生を同時にかつ独立して行なうことが可能となるとともに、挿入口１１０，１９０にそれぞれ収容されたメモリカセット２００，４００の交換にも有用となる。また、メモリ情報記録再生装置１００Ｂの挿入口１１０に収容されたメモリカセット２００の記録もしくは再生中に、メモリカセット４００の記録情報内容を確認もしくは任意の素材情報を記録したい場合に、挿入口１９０に収容するだけで、簡単に確認できるようになる。
【００４２】
（第３の実施形態）  
図６は、この発明の第３の実施形態として、メモリ情報管理システムの構成を示すブロック構成図である。
【００４３】
図６において、図中符号５００はメモリ情報記録再生装置群で、メモリ情報記録再生装置６００を水平方向にＭ（Ｍは２以上の自然数）個、垂直方向にＮ（Ｎは２以上の自然数）個並設配置したものである。なお、メモリ情報記録再生装置６００は、上記第１及び第２の実施形態と同様に、２つのメモリカセットに対し、映像、音声、データの少なくとも一方を含む素材情報の記録もしくは再生を行なうものである。また、メモリ情報記録再生装置６００は、２つのメモリカセットにそれぞれ対応する第１及び第２のメモリアクセス部を備えている。
【００４４】
さらに、このシステムでは、メモリ情報伝送部７００と、情報送受信装置８００とを備えている。メモリ情報伝送部７００は、メモリ情報記録再生装置群５００の各メモリ情報記録再生装置６００の第１及び第２のメモリアクセス部にそれぞれ対応する伝送路を有し、これら伝送路を介して素材情報を双方向に伝送させる。すなわち、メモリ情報伝送部７００は、合計（Ｍ×Ｎ）本の伝送路を有している。
【００４５】
情報送受信装置８００は、メモリ情報伝送部７００における複数のメモリ情報記録再生装置６００それぞれの伝送路を接続し、外部からの情報を取り込み、メモリ情報伝送部７００の対応する伝送路に供給する受信部８０１、及び複数のメモリ情報記録再生装置６００それぞれの伝送路から出力される素材情報を外部に送出する送信部８０２を備えている。
【００４６】
上記構成において、例えば放送局における多チャンネルの素材情報の編集を行なう編集室に適用した場合を例にして、その動作を説明する。
【００４７】
まず、メモリ情報記録再生装置群５００は、編集室内の適当な箇所に配置される。そして、編集室内のユーザは、１台の通信機器による遠隔操作で、各メモリ情報記録再生装置６００を制御して、任意の素材情報をメモリカセットに記録または再生させるようにしている。
【００４８】
このような環境において、最小厚みに設計された複数個のメモリ情報記録再生装置６００を積み重ねて配置することにより、１台のパーソナルコンピュータ等の通信機器による操作で複数個のメモリ情報記録再生装置６００を用いた多チャンネルの素材情報の編集を１度に行なうことができ、また、多数のメモリカセットの情報管理も行なうことができる。すなわち、１つの編集室で、メモリ情報記録再生装置６００を複数個配置するスペースを少なくした上で、多チャンネルの素材情報の編集を行なうことができ、従って、狭い編集室にも好適したものとなり、設備費も格段と安くて済む。
【００４９】
（その他の実施形態）  
この発明は上記各実施形態に限定されるものではない。例えば、メモリカセットに半導体メモリ以外のメモリを内蔵するようにしてもよい。また、上記各実施形態では、１個のメモリ情報記録再生装置で２つのメモリカセットを取り扱う例について説明したが、３個以上のメモリカセットを取り扱えるように構成してもよい。
【００５０】
その他、メモリ情報記録再生装置本体の構成、メモリカセットの構成、メモリアクセス方法、メモリ情報伝送部の伝送路の種類、情報送受信装置の各送信部及び受信部の構成等についても、この発明の要旨を逸脱しない範囲で種々変形して実施できる。
【符号の説明】
【００５１】
１００Ａ，１００Ｂ…メモリ情報記録再生装置本体、１１０…挿入口、１１１，１１２…ガイドレール、１１３…メモリアクセス部、１２０…ボタン、１３０…表示部、１４０…キーボード、１５０，２０２…情報処理部、１６０，１７０，２０１…インタフェース部、２００，３００，４００…メモリカセット、２１１，２１２…ガイド溝、２２０…光透過窓、５００…メモリ情報記録再生装置群、６００…メモリ情報記録再生装置、７００…メモリ情報伝送部、８００…情報送受信装置、８０１…受信部、８０２…送信部。
【図１】
2009283012.tif 000003
【図２】
2009283012.tif 000004
【図３】
2009283012.tif 000005
【図４】
2009283012.tif 000006
【図５】
2009283012.tif 000007
【図６】
2009283012.tif 000008